(57)【特許請求の範囲】
【請求項１】
回転可能に配置された巻取パイプ（１２）に第１のスクリーン（１４）と第２のスクリーン（１６）のそれぞれの上端部が連結されたロールスクリーンであって、下降状態にあって前方側に露出されている一方のスクリーンが巻取パイプ（１２）に巻取られると、他方のスクリーンも共に巻取パイプに巻取られて該他方のスクリーンの下端部が巻取パイプ（１２）の上方を通過可能に構成されており、さらに、その下端部が巻取パイプ（１２）の上方を通過した他方のスクリーンが巻取パイプ（１２）から巻解かれると、他方のスクリーンが下降して前方側に露出されるように構成されたロールスクリーン。
【請求項２】
前記第１のスクリーン（１４）と前記第２のスクリーン（１６）は巻取パイプ（１２）から巻解かれると、共に重なり合って下降することを特徴とする請求項１記載のロールスクリーン。
【請求項３】
巻取パイプ（１２）に近接して、露出していない方のスクリーンを保持する保持部（２４）が設けられており、前記第１のスクリーン（１４）と前記第２のスクリーン（１６）は巻取パイプ（１２）から巻解かれると、保持部に保持されていないスクリーンのみが下降することを特徴とする請求項１記載のロールスクリーン。
【発明の詳細な説明】
【０００１】
【発明の属する技術分野】
本発明は、新規なロールスクリーンに関する。
【０００２】
【従来の技術】
従来のロールスクリーンは、巻取パイプにスクリーンの一端が連結され、巻取パイプにスクリーンを巻取り及び巻解き可能にされたものからなり、スクリーンの他端を引き下ろして巻取パイプから巻解いて露出させることによって、外部からの視線を遮ったり、目隠ししたり、またはスクリーンの絵柄を見ることができるようになっている。
【０００３】
【発明が解決しようとする課題】
しかしながら、このような従来のロールスクリーンでは、そのスクリーンの柄しか露出させることができないために、変化に乏しいという課題がある。
【０００４】
この課題を解決するために、巻取パイプを２本並列に配置して、各巻取パイプにスクリーンの一端をそれぞれ連結して、スクリーンを巻取り及び巻解き可能とし、いずれか一方の巻取りパイプに連結されたスクリーンを巻解いて、他方の巻取りパイプに連結されたスクリーンを巻取るようにしたものが知られている（例えば、特開平４−８０４９２号）。このようなロールスクリーンによれば、２つのスクリーンのうちの任意のスクリーンのみを巻解いて露出させることによって、気分に応じて、２つの柄を楽しむことができ、変化に富んだものとすることができる。
【０００５】
しかしながら、このように２本の巻取パイプを並列に配置すると、製品サイズが大きくなり、価格も１本の巻取パイプに比較すると、非常に高価になるという問題がある。
【０００６】
本発明はかかる課題に鑑みなされたもので、１本の巻取パイプで異なるスクリーンを露出させることができるロールスクリーンを提供することをその目的とする。
【０００７】
【課題を解決するための手段】
前述した目的を達成するために、本発明のうち請求項１記載の発明は、回転可能に配置された巻取パイプに第１のスクリーンと第２のスクリーンのそれぞれの上端部が連結されたロールスクリーンであって、下降状態にあって前方側に露出されている一方のスクリーンが巻取パイプに巻取られると、他方のスクリーンも共に巻取パイプに巻取られて他方のスクリーンの下端部が巻取パイプの上方を通過可能に構成されており、さらに、その下端部が巻取パイプの上方を通過した他方のスクリーンが巻取パイプから巻解かれると、他方のスクリーンが下降して前方側に露出されるように構成される。
【０００８】
巻取パイプによるスクリーンの巻取りと巻解きというサイクルを繰り返す毎に、２枚のスクリーンのうちで前方側に露出されるスクリーンが切り替わる。こうして、１本の巻取パイプで、ロールスクリーンの前方側に露出するスクリーンを交代させることで、２種類のスクリーンを切り替えることができ、変化に富んだロールスクリーンとすることができる。
【０００９】
請求項２記載の発明は、請求項１記載のものにおいて、前記第１のスクリーンと前記第２のスクリーンは巻取パイプから巻解かれると、共に重なり合って下降することを特徴とする。２枚のスクリーンが共に重なり合って下降するので、そのスクリーンの組み合わせによって、相乗的効果（例えば遮光性の向上等の効果）を持たせることができる。
【００１０】
請求項３記載の発明は、請求項１記載のものにおいて、巻取パイプに近接して、露出していない方のスクリーンを保持する保持部が設けられており、前記第１のスクリーンと前記第２のスクリーンは巻取パイプから巻解かれると、保持部に保持されていないスクリーンのみが下降することを特徴とする。保持部に保持されない一方のスクリーンのみが下降して露出されるために、露出したときにスクリーンが単独で持つ風合いをそれぞれ十分に発揮させることができる。
【００１１】
【発明の実施の形態】
以下、図面を用いて本発明の実施の形態を説明する。図１ないし図７は本発明に係るロールスクリーンの実施形態を表す図である。
【００１２】
図１に示すように、ロールスクリーン１０は、窓枠、壁等に固定されるセットフレーム２０の両端に設けられるサイドプレート２２に回転可能に軸支される巻取パイプ１２と、巻取パイプ１２に上端部がそれぞれ取り付けられる第１のスクリーン１４及び第２のスクリーン１６と、から構成される。サイドプレート２２の一方には、巻取パイプ１２に回転を伝達するプーリを内蔵するボックス１５が設けられており、プーリには操作チェーン１８が巻掛けられて、操作チェーン１８のプーリに巻掛けられていない下部分がボックス１５から導出されている。操作チェーン１８は、エンドレスのボールチェーンで構成することができる。また、プーリと巻取パイプ１２との間にはクラッチバネが設けられ、クラッチバネによって、プーリの回転は巻取パイプ１２には伝達されるが、第１のスクリーン１４、第２のスクリーン１６等の自重による巻取パイプ１２の回転はプーリに伝達されないようになっており、操作チェーン１８によるプーリの回転を停止すると、巻取パイプ１２の正回転、逆回転のいずれの回転をも阻止することができるようになっている。
【００１３】
この実施形態では、第１のスクリーン１４が経木の生地となっており、第２のスクリーン１６が不透明生地となっている。これらのスクリーンは、それぞれ巻取パイプ１２の断面で見てその周方向の任意の位置に取り付けることができるが、この実施形態では、互いに１８０度離間された位置においてそれぞれ取り付けられている。また、各スクリーン１４，１６の下端部にはウエイトバーが１４ａ、１６ａが設けられている。
【００１４】
２つのスクリーン１４，１６は、基本的に互いに重ね合わされるようになっており、図２に示す状態においては、スクリーン１４がロールスクリーン１０の前方に露出して完全に下降しており、スクリーン１６は、巻取パイプ１２の上側を通過して、スクリーン１４の後側へと配設されており、ロールスクリーン１０の前方側にいる使用者は、主にスクリーン１４の経木の柄を見ることができるようになっている。不透明生地のスクリーン１６が後側にあるので、通常の経木のスクリーン１４のみのロールスクリーンと比較して、遮光性が高まってプライバシイが確保されたものとなっている。スクリーン１６は、巻取パイプ１２の上側を通過している分だけ、下降する長さがスクリーン１４よりも短く、スクリーン１６のウエイトバー１６ａの位置は、スクリーン１４のウエイトバー１４ａよりも上方に位置づけられている。勿論、このときに、スクリーン１６のウエイトバー１６ａの位置が、スクリーン１４のウエイトバー１４ａと一致して、スクリーン１６が完全にスクリーン１４の後側に配設されるように、スクリーン１６の長さをスクリーン１４よりも長く設定することも可能である。
【００１５】
他方のスクリーン１６を露出させたい場合には、次のように行う。まず、操作チェーン１８を操作して、スクリーン１４を巻取る方向へと巻取パイプ１２を回転させる。スクリーン１４を巻取っていくと、スクリーン１６も一緒に巻取られていく（図３、図７（ｂ））が、スクリーン１６のウエイトバー１６ａの方が、ウエイトバー１４ａよりも高い位置にあり、また、スクリーン１６がスクリーン１４の外径側に巻取られるために、その内外径差によって、スクリーン１６のウエイトバー１６ａがスクリーン１４のウエイトバー１４ａよりも早く巻取パイプ１２に達する（図４、図７（ｃ））。この状態でさらに巻取パイプ１２を同じ方向へと回転させると、スクリーン１６のウエイトバー１６ａが、巻取パイプ１２の上を通過した後、巻取パイプ１２から落下して、スクリーン１６がスクリーン１４よりも前方に配設される（図５、図７（ｄ））。この状態から、操作チェーン１８を操作して、スクリーン１６を巻解く方向へと巻取パイプ１２を回転させると、スクリーン１６が巻解かれると共に、スクリーン１４も一緒に巻解かれていくが、スクリーン１４はスクリーン１６の後側に配設されており、スクリーン１６が完全に下降した図６（図７（ｅ））に示す状態においては、図２の状態と前後関係が全く逆となる。こうして、スクリーン１６が前面に露出して、使用者は、主としてスクリーン１６の柄を見ることができるようになる。
【００１６】
以上の図２〜図６（図７（ａ）〜（ｅ））の動作を繰り返すことにより、スクリーン１４とスクリーン１６とを交互に前面側に露出させることができ、１つの巻取パイプ１２で２枚のスクリーンの切り替えを享受することができ、２枚の柄を好みに応じて切り替えたりすることができる。また、スクリーンが不要な場合には、従来のロールスクリーンと同様に、図４に示す状態で操作チェーン１８の操作を止めることによって、２枚のスクリーン１４，１６共に巻取られた状態にすることができる。
【００１７】
次に、図８ないし図１３は本発明の第２実施形態を表す図である。この図において、第１実施形態と同一の部材は同一の符号を付して、その詳細説明を省略する。この実施形態では、セットフレーム２０の裏面に、露出していない方のスクリーンを保持する保持部２４を備えている点で第１実施形態と異なっている。
【００１８】
即ち、セットフレーム２０と平行に巻取パイプ１２に近接して、スクリーン１４，１６のウエイトバー１４ａ、１６ａのうちの一方を受けて、一方のスクリーンを保持するための保持部２４が配設されている。保持部２４は、その両端がサイドプレート２２に固定された固定プレート部２４ａと、固定プレート部２４ａにヒンジ結合されて揺動可能となった可動プレート部２４ｂと、可動プレート部２４ｂを常時固定プレート部２４ａに対して角度をなす方向に付勢するばね（図示せず）と、可動プレート部２４ｂの所定以上の揺動を阻止するストッパー（図示せず）とから構成されており、常時は、可動プレート部２４ｂは、固定プレート部２４ａに対してストッパーによって定められる最大角度をなして停止しており、固定プレート部２４ａと可動プレート部２４ｂとで、ウエイトバーを受けることができるようになっている。
【００１９】
図９に示す状態においては、スクリーン１４が完全に下降して露出している一方で、スクリーン１６はそのウエイトバー１６ａの下降が保持部２４によって阻止されて、ウエイトバー１６ａが保持部２４に保持されると共に、スクリーン１６が保持部２４上方で折り畳まれて保持されている。従って、使用者は、スクリーン１４のみを見ることができるようになっている。この状態から、スクリーン１６を露出させたい場合には、操作チェーン１８を操作して、スクリーン１４を巻取る方向へと巻取パイプ１２を回転させる。スクリーン１４を巻取っていくと、スクリーン１６も、その保持部２４から巻取パイプ１２へと移動して、一緒に巻取られていき（図１０）、ウエイトバー１６ａが巻取パイプ１２の上を通過すると、ウエイトバー１６ａは巻取パイプ１２から落下する（図１１〜図１２）。同時に、スクリーン１４のウエイトバー１４ａは、保持部２４の可動プレート部２４ｂまで達すると、ばねの付勢力に抗して可動プレート部２４ｂを持ち上げた後、可動プレート部２４ｂの上方へと移動して、保持部２４に保持される。この状態から操作チェーン１８を操作して、スクリーン１６を巻解く方向へと巻取パイプ１２を回転させると、スクリーン１６と共にスクリーン１４も一緒に巻解かれていくが、スクリーン１４の巻解かれた部分は、保持部２４の上方で折り畳まれて保持され、下降することはない。こうして、スクリーン１６のみが下降して、スクリーン１６が完全に下降した図１３に示す状態においては、図９の状態とスクリーンの関係が全く逆となる。こうして、スクリーン１６のみが下降して、使用者はスクリーン１６の柄を見ることができるようになる。
【００２０】
以上の図９〜図１３の動作を繰り返すことにより、スクリーン１４とスクリーン１６とを交互に露出させることができ、２枚のスクリーンの切り替えを享受することができる。また、この第２実施形態では、１枚のスクリーンのみが下降し２枚のスクリーンが重なり合わないために、各スクリーンが下降したときにそのスクリーンが単独で持つ風合いを生かすことができる。
【００２１】
２枚のスクリーンの例として、以上の例では経木生地と不透明生地のスクリーンの組み合わせを例示したが、これに限るものではなく、任意の組み合わせを採用することができる。
【００２２】
【発明の効果】
以上説明したように、本発明によれば、異なるスクリーンを交互に露出させることができるので、異なるスクリーンの切り替えを享受することができ、変化に富んだロールスクリーンとすることができる。スクリーンの枚数毎に巻取パイプを必要とせず、１本の巻取パイプで構成されるため、低コストで製造することができる。
【図面の簡単な説明】
【図１】本発明の第１実施形態によるロールスクリーンの実施形態を表す全体斜視図である。
【図２】第１実施形態において一方のスクリーンが前方に露出した状態を表す断面図である。
【図３】第１実施形態において巻取パイプをスクリーン巻取方向に巻取っていったときの途中状態の断面図である。
【図４】第１実施形態において巻取パイプをスクリーン巻取方向に巻取っていき、他方のスクリーンのウエイトバーが巻取パイプの上方を通過するときの状態の断面図である。
【図５】第１実施形態において巻取パイプをスクリーン巻取方向に巻取っていき、他方のスクリーンのウエイトバーが巻取パイプの上方を通過した後の状態の断面図である。
【図６】第１実施形態において巻取パイプをスクリーン巻解方向に巻解いていき、他方のスクリーンが前方に露出した状態の断面図である。
【図７】（ａ）〜（ｅ）は図２〜図６の状態に対応する部分斜視図である。
【図８】本発明の第２実施形態によるロールスクリーンの実施形態を表す全体斜視図である。
【図９】第２実施形態において一方のスクリーンが前方に露出した状態を表す断面図である。
【図１０】第２実施形態において巻取パイプをスクリーン巻取方向に巻取っていったときの途中状態の断面図である。
【図１１】第２実施形態において巻取パイプをスクリーン巻取方向に巻取っていき、他方のスクリーンのウエイトバーが巻取パイプの上方を通過するときの状態の断面図である。
【図１２】第２実施形態において巻取パイプをスクリーン巻取方向に巻取っていき、他方のスクリーンのウエイトバーが巻取パイプの上方を通過した後の状態の断面図である。
【図１３】第２実施形態において巻取パイプをスクリーン巻解方向に巻解いていき、他方のスクリーンが前方に露出した状態の断面図である。
【符号の説明】
１０  ロールスクリーン
１２  巻取パイプ
１４  第１のスクリーン
１６  第２のスクリーン
２４  保持部
【図１】
0004057789.tif 000002
【図２】
0004057789.tif 000003
【図３】
0004057789.tif 000004
【図４】
0004057789.tif 000005
【図５】
0004057789.tif 000006
【図６】
0004057789.tif 000007
【図７】
0004057789.tif 000008
【図８】
0004057789.tif 000009
【図９】
0004057789.tif 000010
【図１０】
0004057789.tif 000011
【図１１】
0004057789.tif 000012
【図１２】
0004057789.tif 000013
【図１３】
0004057789.tif 000014